(57)【特許請求の範囲】
【請求項１】
色素系の光ディスクの記録面に照射する記録用レーザ光のビームパワーを、ピットを形成する区間でピットが形成されるトップパワーに設定し、ピットを形成後次のピットを形成するまでのランドを形成する区間でピットが形成されないボトムパワーに設定して、マーク長記録方式でピットおよびランドの形成を行う光ディスク記録装置において、
所定以上の速度倍率で記録するときのボトムパワー値を、各ランドを形成する区間内の一部でオフし、記録速度倍率が高くなるほどボトムパワー値をオフする幅（Ｔに対する相対的な幅をいう。）を広くすることを特徴とする光ディスク記録装置。
【発明の詳細な説明】
【０００１】
【産業上の利用分野】
この発明は、レーザ光を光ディスクの記録面に照射してピットを形成して情報の記録を行うマーク長記録方式の光ディスク記録装置に関し、４倍速（標準速度（＝１倍速）の４倍の速度）以上の速度で高速記録を行う場合に記録信号品位（ジッタ、ｄｅｖｉａｔｉｏｎ、エラーレート等）の悪化を防止したものである。
【０００２】
【従来の技術】
書込可能型光ディスクの記録方式の１つとして、ＣＤ−ＷＯ（ＣＤ  Ｗｒｉｔｅ  Ｏｎｃｅ）規格がある。ＣＤ−ＷＯ規格では、情報は３Ｔ〜１１Ｔ（１Ｔは１倍速時は１／４．３２１８ＭＨｚ＝２３１ns、２倍速時は１倍速時の１／２、４倍速時は１倍速時の１／４、６倍速時は１倍速時の１／６、……）のピットおよびランド（ピットとピットの間の部分）の組合せで光ディスクに記録される。ＣＤ−ＷＯディスクの記録用レーザ光のビームパワーは図２に示すように、ピットを形成する区間でトップパワーに設定され、ランドを形成する区間でボトムパワーに設定される。この場合、ピットの長さ分トップパワーを持続してピットを形成すると、レーザ光の余熱により、実際には１Ｔ程度長くピットが形成されてしまう。そこで、いわゆる（ｎ−Ｋ）Ｔ＋α(nT)ストラテジー（ｓｔｒａｔｅｇｙ）と称して、トップパワーの持続時間を、形成しようとするピット長nTよりも約ＫＴ分短縮してピット形成を行うようにしている。なお、α(nT)はピット長ごとの微調整量で、
α(3T)≧α(4T)≧α(5T)≧……≧α(11T) （α(3T)＞α(11T) ）
である。
【０００３】
【発明が解決しようとする課題】
（ｎ−Ｋ）Ｔ＋α(nT)ストラテジーを使って４倍速以上の高速記録を行うと（なお、このとき、α(nT)の値は１倍速時の１／４となる。）、図３に示すように、ある記録パワー（トップパワー）を境に急激にエラーが増大する。また、ランドジッタも急激に悪化する。このため、記録パワーの設定が難しかった。また、エラーやランドジッタはディスクの線速度（１．２〜１．４ｍ／ｓ）によっても影響を受けていた。また、９Ｔ，１０Ｔ，１１Ｔのピット長が規定値よりも短くなるため、特定のＣＤプレーヤ、ＣＤ−ＲＯＭプレーヤでの再生時にトラブルが生じていた。また、４倍速以上の高速記録時に多大な記録パワーを必要とするため、高出力レーザダイオードを必要とし、コストアップにつながっていた。
【０００４】
また、同一機種の光ヘッドであっても半導体レーザのばらつきによりレーザ波長にばらつきがある。一般に波形歪は色素への熱流入の過大が原因であるため、記録感度のよい（つまり熱吸収のよい）レーザ波長の短い光ヘッドで記録した方が波形歪が現れやすい。このため、同一機種の光ヘッドを搭載した同一機種の光ディスク記録装置で同じ情報を記録しても、ピットの形成状況にはばらつきが生じ、記録信号品位が低い光ディスク記録装置が生じていた。特に、４倍速以上の高速記録を行う場合は、記録感度のよい波長の短いレーザ光を使用するので、レーザ波長のわずかなばらつきが信号品位の低下を招いていた。
【０００５】
この発明は、従来の技術における問題点を解決して、４倍速以上の速度で高速記録を行う場合に、記録信号品位の低下を防止した光ディスク記録装置を提供しようとするものである。
【０００６】
【課題を解決するための手段】
高速記録において前記図３のようにある記録パワーを境に急激にエラーが増大するのは、高速記録における波形歪の影響である。これを防ぐには、後ろのピットからの熱の流入を防ぐ必要がある。そこで、この発明では、高速記録を行う場合に各ランドを形成する区間内の一部でボトムパワー値をほぼ零に落とす（区間の残りの部分は、ほぼ零以外の一定値にする）ことにより、後ろのピットからの熱の流入を防ぐようにしている。また、この発明では、記録速度倍率が高くなるほどボトムパワー値をオフする幅を広くするようにしている。なお、高速記録を行う場合に特に波形歪に影響する３Ｔのランドのボトムパワー値を区間内全体でほぼ零に落とす（３Ｔ以外のランドは区間内全体でほぼ零以外の一定値にする。）ことにより、後ろのピットからの熱の流入を防ぐことができる。また、記録速度倍率が高くなるほどボトムパワーの値を低くすることにより、後ろのピットからの熱の流入を防ぐことができる。
【０００７】
また、３Ｔ〜８Ｔのピットを形成する場合の記録ストラテジーのα(nT)の値を
α(3T)≧α(4T)≧α(5T)≧……≧α(8T) （α(3T)＞α(8T)）
に設定し、９Ｔ〜１１Ｔのピットを形成する場合の同α(nT)の値を
０≦α(nT)≦０．１５Ｔ
に設定することにより、９Ｔ，１０Ｔ，１１Ｔのピット長が短目に形成されるのを防止することができる。
【０００８】
また、記録速度倍率が高くなるほどまたディスクの線速度が高くなるほど記録ストラテジーの定数Ｋの値を小さくすることにより、ジッタの悪化やエラーレートの増大を防止することができる。
【０００９】
また、シアニン系のディスクに４倍速で記録する場合に、記録ストラテジーを（ｎ−Ｋ）Ｔ＋α(nT)−β(mT)に設定して、α(nT)の値を、３Ｔのピットを形成する場合は０．０５〜０．１４Ｔに設定して、その分トップパワーの照射時間の終了を遅らせ、４Ｔのピットを形成する場合は０〜０．０７Ｔに設定して、その分トップパワーの照射時間の終了を遅らせ、β(mT)の値を、３Ｔのランドを形成する場合は０．１２〜０．２Ｔに設定して、その分トップパワーの照射時間の開始を遅らせ、４Ｔのランドを形成する場合は０．０５〜０．１３Ｔに設定して、その分トップパワーの照射時間の開始を遅らせ、５Ｔのランドを形成する場合は０〜０．０７Ｔに設定して、その分トップパワーの照射時間の開始を遅らせる補正を加えるとともに、各ピットを形成するトップパワーの照射開始当初に、ほぼ１．５Ｔの時間当該トップパワーをほぼ１ｍＷ増大させる補正を加えることにより、シアニン系ディスクに４倍速で記録する場合のジッタ、ピットデビエーション（ｐｉｔ  ｄｅｖｉａｔｉｏｎ：正規のピット長からのずれ量）の悪化（増大）を防止することができる。
【００１０】
また、フタロシアニン系のディスクに４倍速で記録する場合に、記録ストラテジーを（ｎ−Ｋ）Ｔ＋α(nT)−β(mT)に設定して、α(nT)の値を、３Ｔのピットを形成する場合は０．０５〜０．１４Ｔに設定して、その分トップパワーの照射時間の終了を遅らせ、４Ｔのピットを形成する場合は０〜０．０７Ｔに設定して、その分トップパワーの照射時間の終了を遅らせ、β(mT)の値を、３Ｔのランドを形成する場合は０．１２〜０．２Ｔに設定して、その分トップパワーの照射時間の開始を遅らせ、４Ｔのランドを形成する場合は０．０５〜０．１３Ｔに設定して、その分トップパワーの照射時間の開始を遅らせ、５Ｔのランドを形成する場合は０〜０．０７Ｔに設定して、その分トップパワーの照射時間の開始を遅らせる補正を加えるか、もしくはこのトップパワーの照射時間の補正のうちα(nT)の補正に代えて各ピットを形成するトップパワーの照射開始当初に、ほぼ１．５Ｔの時間当該トップパワーをほぼ１ｍＷ増大させる補正を加えることにより、フタロシアニン系ディスクに４倍速で記録する場合のジッタ、ピットデビエーションの悪化を防止することができる。
【００１１】
また、記録時のレーザ変調方式に関する制御情報を、使用するレーザ光の波長範囲ごとに予め定めて記憶しておき、光ディスク記録装置に搭載するあるいは搭載した半導体レーザごとに出射するレーザ光の波長を測定し、当該測定された波長が前記波長範囲のいずれに入るかを判定し、当該判定された波長範囲に該当する前記制御情報を当該光ディスク記録装置内のメモリに組み込んで記録時に使用されるようにすることにより、半導体レーザのレーザ波長のばらつきによる記録信号品位の低下を防止することができる。
【００１２】
【発明の実施の形態】
この発明の実施の形態を以下説明する。図４はこの発明が適用された光ディスク記録再生装置１のシステム構成を示すものである。入力装置２８ではオペレータの操作等により記録速度倍率が設定される。ディスクサーボ回路１６は、システムコントローラ１９からの指令により、ディスクモータ１２を設定された記録速度倍率で線速度一定（１倍速時は１．２ｍ／ｓ〜１．４ｍ／ｓ、２倍速時は１倍速時の２倍、４倍速時は１倍速時の４倍、……）で回転制御する。この線速度一定制御は、ＣＤ−ＷＯ規格の場合、プリグループのウォブル（Ｗｏｂｂｌｅ）が２２．０５kHz になるように規定されているので、光ヘッド１３の出力信号からウォブルを検出して（トラッキングエラー信号の残留分から検出できる。）、これが所定の周波数（１倍速時は２２．０５kHz 、２倍速時は４４．１kHz 、４倍速時は８８．２kHz 、……）で検出されるようにディスクモータ１２をＰＬＬ制御することで実現される。
【００１３】
フォーカスサーボおよびトラッキングサーボ回路１８は、システムコントローラ１９からの指令により、光ヘッド１３内の半導体レーザから出射されるレーザ光１１のフォーカスおよびトラッキングを制御する。トラッキング制御はディスク１０に形成されたプリグルーブを検出することにより行なわれる。フィードサーボ回路１７はシステムコントローラ１９からの指令により、フィードモータ２０を駆動して光ヘッド１３をディスク１０の径方向に移動させる。
【００１４】
光ディスク１０（ＣＤ−ＷＯディスク）に記録すべき入力信号は、記録速度倍率に応じた速度でディジタル信号の場合は直接データ信号形成回路２２に入力され、アナログ信号の場合はＡ／Ｄ変換器２４を経て記録信号形成回路２２に入力される。記録信号形成回路２２は、入力データにインタリーブをかけて、エラーチェックコードを付与し、またＴＯＣおよびサブコード生成回路２３で生成されるＴＯＣ情報およびサブコード情報を付与し、ＥＦＭ変調してＣＤ規格のフォーマットおよび記録速度倍率に応じた転送レートで一連のシリアルデータを形成し、記録信号として出力する。
【００１５】
この記録信号は、ドライブインターフェイス１５を介して記録信号補正回路２６（照射制御手段）で使用ディスク種類（色素材料種類）、線速度、記録速度倍率等に応じて選択された記録ストラテジーによる変調を受けてレーザ発生回路２５に入力される。レーザ発生回路２５は記録信号に応じて光ヘッド１３内の半導体レーザを駆動してレーザ光を光ディスク１０の記録面に照射し、ピットを形成して記録を行なう。この時のレーザパワーは記録速度倍率および必要に応じて線速度に応じた値に指令され、ＡＬＰＣ（Automatic Laser Power Control ）回路でこの指令されたパワーに高精度に制御される。これにより、光ディスク１０にはＣＤ規格のフォーマット、転送速度および線速度（１．２〜１．４ｍ／ｓ）でデータが記録される。
【００１６】
以上のようにして記録した光ディスク１０に再生用レーザ光（記録用レーザ光より小パワー）を照射して再生すると、読出データは信号再生処理回路３０で復調され、そのままディジタル信号として、またＤ／Ａ変換器３２でアナログ信号に変換されて出力される。
【００１７】
図４のシステムコントローラ１９による記録制御の制御ブロックを図１に示す。記録速度倍率設定手段２８は図４の入力装置２８に相当し、操作者の操作により記録速度倍率（×１，×２，×４，…）を設定する。ディスク種類および線速度判別手段３２は、装置にセットされている光ディスク１０のディスク種類および線速度を判別するものである。ディスク種類は、例えば光ディスク１０に予め記録されているディスクＩＤのうちディスク種類を示す情報を利用して判別することができる。また、線速度は例えばディスクのリードイン部のＡＴＩＰ信号に記録されている録音時間（６３分タイプ、７４分タイプその他それらの中間のタイプ）を読み取って、それから該当する線速度を判別（６３分タイプは１．４ｍ／ｓ、７４分タイプは１．２ｍ／ｓ）したり、スピンドルモータのエンコーダ出力から算出することができる。
【００１８】
記録ストラテジー記憶手段３４は、ディスク種類、線速度および記録速度倍率の組合せに応じて最適な記録ストラテジー（時間変調量、記録パワー等）を記憶している。記録ストラテジー選択手段３６は、入力されるディスク種類、線速度、記録速度倍率の情報に応じて該当する記録ストラテジーを記録ストラテジー記憶手段３４から読み出す。制御手段３８は読み出された記録ストラテジーに応じて記録信号補正回路２６を制御して記録信号のピット形成部分やブランク形成部分の長さに変調を加える。また、レーザ発生回路２５を制御して、レーザパワーを制御する。また、ディスクサーボ回路１６を制御して、指令された記録速度倍率に相当する速度にディスクモータ１２を回転制御する。
【００１９】
図１の制御手段３８による記録用レーザ光の照射時間および記録パワーの具体的内容について説明する。制御手段３８は、記録用レーザ光のビームパワーを、ピットを形成する区間でピットが形成されるトップパワーに設定し、ピットを形成後次のピットを形成するまでのランドを形成する区間でピットが形成されないボトムパワーに設定するとともに、トップパワーの照射時間を、形成するピット長ｎＴ（ｎ＝３，４，……，１１）およびその直前のランド長ｍＴ（ｍ＝３，４，……，１１）に応じて、記録ストラテジー
（ｎ−Ｋ）Ｔ＋α(nT)−β(mT)
但し、Ｋ：定数
α(nT)：ピット長ごとの補正量で、少くとも
α(3T)≧α(4T)≧α(5T)≧……≧α(8T) （α(3T)＞α(8T)）
β(mT)：直前のランド長ごとの補正量で、少くとも
β(3T)≧β(4T)≧β(5T)≧……≧β(8T) （β(3T)＞β(8T)）
に基づいて設定して、記録用レーザ光を色素系の光ディスク１０の記録面に照射して３Ｔから１１Ｔのピットおよびランドの形成を行う。１倍速記録時は、この記録ストラテジーに従って、前記図２に示すような記録パルス波形によりピットおよびランドの形成を行う。
【００２０】
また、記録速度倍率に応じて、この記録ストラテジーに下記の補正あるいはパラメータの数値の設定を加えてピット形成を行う。
【００２１】
〔Ａ〕  ボトムパワーの補正
上記記録ストラテジーを使って４倍速以上の高速記録を行うと、ある記録パワー（トップパワー値）を境に急激にエラーが増大する。これを防ぐには、後ろのピットからの熱の流入を防ぐ必要がある。そこで、ボトムパワー値に次の（ａ），（ｂ），（ｃ）のいずれかの補正を加える。
【００２２】
（ａ）  記録速度倍率が高くなるほどボトムパワーの値を低くする。すなわち、図５に示すように、ボトムパワー値を、形成するピット長やランド長によらず一定値としてかつ記録速度倍率に応じて次式のように増減する。
ボトムパワー値（Ｖ１）≦ボトムパワー値（Ｖ２）
但し、Ｖ１，Ｖ２は記録速度倍率でＶ１＞Ｖ２
ボトムパワー値の具体例を表１に示す。
【００２３】
【表１】
0003702824.tif 000002
【００２４】
（ｂ）  ４倍速以上の速度倍率で記録するときのボトムパワー値を、１区間内の一部でオフする（ほぼ零にする。）すなわち、例えば図６に示すように、トップパワーでの照射を終了するごとに、ポトムパワー値を一定期間オフする（残りの期間は、形成するピット長やランド長によらずボトムパワー値を一定値とする。）。ボトムパワー値をオフする幅は、記録速度倍率に応じて例えば表２のように切換える（記録速度倍率が高くなるほどボトムパワー値をオフする幅を広くする。）。
【００２５】
【表２】
0003702824.tif 000003
【００２６】
（ｃ）  ４倍速以上の速度倍率で記録するときに、図７に示すように、３Ｔランドを形成する場合にのみボトムパワー値をランドを形成する区間内全体にわたりオフする。４Ｔ以上のランドを形成する場合は、ボトムパワー値を一定とする。
【００２７】
〔Ｂ〕  ９Ｔ，１０Ｔ，１１Ｔのピットを形成する場合のトップパワーの照射時間の補正
９Ｔ，１０Ｔ，１１Ｔのピットを形成する場合の補正量α(nT)の値を、
０≦α(nT)≦０．１５Ｔ
に設定する（なお、このときα(8T)＝０に設定する。）。この補正は、記録速度倍率や線速度によらず常に行う。補正量α(nT)の値は、例えば１０Ｔの場合はα（１０Ｔ）＝０．０６Ｔ，１１Ｔの場合はα（１１Ｔ）＝０．１２Ｔとする。図８は、９Ｔ，１０Ｔ，１１Ｔのピットを形成する時に上記のように補正を行った場合と補正を行わなかった場合（つまり、α(3T)≧α(4T)≧α(5T)≧……≧α(11T),α(3T)＞α(11T) とした場合）のピット長とピットデビエーションの関係の測定結果を示したものである。ピットデビエーションは、規格では許容値が３Ｔのピットが±４０ns以内、１１Ｔのピットが±６０ns以内と定められている。特に１１Ｔのピットデビエーションが許容値を超えると、スピンドル制御が不安定になることがある。補正を行わなかった場合には、９Ｔ，１０Ｔ，１１Ｔが許容値を超えるかあるいは許容値限界近くになるが、補正を行うことにより、９Ｔ，１０Ｔ，１１Ｔとも許容値以内に収まり、スピンドル制御が安定化される。
【００２８】
〔Ｃ〕  記録速度倍率および線速度によるＫ値の補正
Ｋ値とパラメータβ（％）（再生波形のアシンメトリに関連して規格化されているパラメータで、前記記録パラメータにおける補正量β(mT)とは別のパラメータ）との関係を調べてみると、再生波形に歪が現れるときのβ（％）値、ランドジッタが悪化するときのβ（％）値、エラーレートが悪化する時のβ（％）は記録速度倍率に応じて図９に示すように変化する。図９によれば、パワーマージンが最大幅となる時のＫ値は記録速度倍率が高くなるほど小さくなる（４倍速時はＫ＝０．４〜０．５、６倍速時はＫ＝０．２〜０．３あたりで最大パワーマージン幅が得られる。）ことがわかる。また、同じ記録速度倍率のもとでは、パワーマージン幅が最大となる時のＫ値は、線速度が高くなるほど小さくなる。そこで、記録ストラテジー中の定数Ｋの値を記録速度倍率が高くなるほどまた線速度が高くなるほど小さくする。
【００２９】
具体例として、線速度の全範囲（１．２〜１．４ｍ／秒）をある線速度値Ｖ（例えばＶ＝１．２８ｍ／秒）で２つに分け、ディスクをこの値Ｖを境に２つのグループに分け、Ｋ値を表３のように設定する。但し、Ｋ値は、低速グループ＞高速グループとする。
【００３０】
【表３】
0003702824.tif 000004
これにより、４倍速以上の高速記録時のジッタの悪化やエラーレートの増大が防止される。
【００３１】
また、記録速度倍率によらずＫ値を一定とした場合には、記録速度倍率が高くなるにつれて記録用レーザ光のトップパワー値を大きくしなければならず、高価な高出力レーザダイオードが必要になるのに対し、上記のように記録速度倍率に応じてＫ値を変えるようにすれば、それほど大きなトップパワー値は必要でなくなり、安価な低出力レーザダイオードを使用することができる。
【００３２】
〔Ｄ〕シアニン系ディスクに記録する場合の補正
シアニン系ディスクに４倍速で記録する場合は、記録ストラテジーのα(nT)，β(mT)の値を表４の範囲内の値に設定する。なお、図１０に示すように、α(nTP) はトップパワーの終了位置に付加する（すなわち照射時間の終了を遅らせる）ものであり、β(mTL) はトップパワーの開始位置に付加する（すなわち照射時間の開始を遅らせる）ものである。
【００３３】
【表４】
0003702824.tif 000005
【００３４】
また、上記照射時間の補正とともに、図１０に示すように、各ピットを形成するトップパワーの照射開始当初に、ほぼ１．５Ｔの時間トップパワーを１ｍＷ増大させる補正を加える。図１１，図１２は、α(nTP) ，β(mTL) を次のように設定した場合のランドジッタとピットデビエーションの測定結果である。尚、図１１、図１２はあるメーカーの線速度１．２１ｍ／秒のディスクに記録ストラテジー（ｎ−０．５）Ｔ＋α(nT)−β(nT)を用いて４倍速で記録した場合である。
【００３５】
0003702824.tif 000006
【００３６】
図１１，図１２によれば、α(nT)が適性値より大きい場合である（III)は、ピットデビエーションが悪化し、ランドジッタの変化も早い（パラメータβ（％）が浅いところから大きく変化する。）。これに対し、α(nT)が適性値の範囲内にある場合である（Ｉ）は、ピットデビエーションは許容範囲内であり、ランドジッタの値は小さくその変化も小さい。なお、（II）は適性値の範囲内であるが、適正値の範囲の下限値であり、（Ｉ）に比べると再生信号品位は低くなる。
【００３７】
〔Ｅ〕  フタロシアニン系のディスクに記録する場合の補正
フタロシアニン系ディスクに、シアニン系ディスクに記録する場合と同じ照射時間とトップパワー値の補正（図１０）を加えて記録すると、図１３に線Ａで示すようにビットデビエーションが許容値を超えてしまう。そこで、α(nT)による補正とトップパワー値の補正のうちの一方のみを行う。図１３の線Ｂは、α(nT)の補正のみ行った場合、線Ｃはトップパワー値の補正のみ行った場合で、いずれもピットデビエーションは許容範囲内に入っている。
〔光ディスク記録装置の製造方法の実施の形態〕
同一機種の光ヘッドでも半導体レーザのレーザ波長にはばらつきがある（例えば、７７７〜７９４nm）。そこで、光ディスク記録装置の製造時に、予め個々の光ヘッドについてレーザ波長λを測定し、レーザ波長の範囲を例えばλ≦７８３nm、７８３nm＜λ≦７８９nm、７８９nm＜λの３つの範囲に分けて、各光ヘッドのレーザ波長がいずれの範囲に入るかを判定し、その判定結果に応じて表５の記録ストラテジーを適用する。
【００３８】
【表５】
0003702824.tif 000007
【００３９】
つまり、波長歪の現れやすい波長の短いものは、Ｋ値を大き目にして、トップパワーの時間を短くすることで、波形歪を防ぐ。トップパワーの時間を短くしても、短い波長に対しては感度がよいので、所定のピット長に形成できる。また、波形歪の現れにくい波長の長いものは、感度が悪いので、Ｋ値を小さ目にして所定のピット長が形成されるようにする。６倍速以上用の光ヘッドについても同様にレーザ波長に応じてＫ値を変更する。
【００４０】
適用する記録ストラテジーが決まったら、その記録ストラテジーを該当する光ディスク記録装置内のＥＰ−ＲＯＭに転送して焼きつける。これにより、記録時に、機器ごとに定められた適正な記録ストラテジーが使用される。
【図面の簡単な説明】
【図１】  図４のシステムコントローラによる記録制御の制御ブロック図である。
【図２】 記録用レーザ光の波形図である。
【図３】 （ｎ−Ｋ）Ｔ＋α(nT)ストラテジーを使って高速記録を行った場合の記録パワーに対するエラーレートの変化を示す線図である。
【図４】 この発明の光ディスク記録装置の実施の形態を示すブロック図である。
【図５】 ボトムパワーの補正方法の一例を示す波形図である。
【図６】 ボトムパワーの補正方法の他の例を示す波形図である。
【図７】 ボトムパワーの補正方法の他の例を示す波形図である。
【図８】 １０Ｔ，１１Ｔのピット長に補正を加えた場合と補正を加えない場合のピットデビエーションの違いを示す線図である。
【図９】 記録速度倍率と最大パワーマージンが得られる時の記録ストラテジーのＫ値の変化を説明する特性図である。
【図１０】 シアニン系ディスクに記録する場合の記録ストラテジーの補正内容を説明する波形図である。
【図１１】 シアニン系ディスクに記録する場合に適正な補正を加えた場合と、不適正な補正を加えた場合のランドジッタの変化を示す線図である。
【図１２】 シアニン系ディスクに記録する場合に適正な補正を加えた場合と、不適正な補正を加えた場合のピットデビエーションの変化を示す線図である。
【図１３】 フタロシアニン系ディスクに記録する場合に、照射時間の補正とトップパワーの補正の両方を加えた場合と、いずれか一方のみ加えた場合のピットデビエーションの違いを示す線図である。
【符号の説明】
１…光ディスク記録再生装置、１１…レーザ光
【図１】
0003702824.tif 000008
【図２】
0003702824.tif 000009
【図３】
0003702824.tif 000010
【図４】
0003702824.tif 000011
【図５】
0003702824.tif 000012
【図６】
0003702824.tif 000013
【図７】
0003702824.tif 000014
【図８】
0003702824.tif 000015
【図９】
0003702824.tif 000016
【図１０】
0003702824.tif 000017
【図１１】
0003702824.tif 000018
【図１２】
0003702824.tif 000019
【図１３】
0003702824.tif 000020